(57)【要約】【課題】  本発明は、溶岩状の外観を有し、保水性、通水性、排水性に優れた植木鉢の製造方法と植木鉢を提供する。【解決手段】  焼成用粘土と空隙形成用有機質繊維とを混練して植付凹部を有する植木鉢原体を成形し、乾燥後、焼成窯で焼成し、空隙形成用有機質繊維を燃焼させた痕に、通水性を有する空隙を形成し、外観が溶岩状地肌を有する植木鉢を形成する。 【選択図】  図１
2014124174.tif 000002
【特許請求の範囲】
【請求項１】
焼成用粘土と空隙形成用有機質繊維とを混練した成形素材をもって、植付凹部を有する植木鉢原体を成形し、乾燥後、これを焼成窯で焼成することにより、空隙形成用有機質繊維を燃焼させて、通水性を有する空隙を形成し、かつ表面に空隙形成用有機質繊維を燃焼させた痕の凹窪により、溶岩状地肌を形成することを特徴とする植木鉢の製造方法。
【請求項２】
空隙形成用有機質繊維は、形態の異なるものを適宜選択して混合したものであることを特徴とする請求項１に記載の植木鉢の製造方法。
【請求項３】
植木鉢原体における、空隙形成用有機質繊維の混練された成形素材の肉薄層の上面に、非透水材層を皿状に形成し、その上に成形素材を一体に重合し、上面に植付凹部を形成させて焼成することを特徴とする請求項１または２に記載の植木鉢の製造方法。
【請求項４】
植木鉢原体の下面に、水漏れを防止する非透水材層を形成した後、焼成することを特徴とする請求項１または２に記載の植木鉢の製造方法。
【請求項５】
植木鉢原体における植付凹部の内底に、複数の花立穴を形成した後、焼成することを特徴とする請求項１〜４のいずれかに記載の植木鉢の製造方法。
【請求項６】
植木鉢原体は、部分的に空隙の大きさを異差するように空隙形成用有機質繊維が選択されていることを特徴とする請求項１〜５のいずれかに記載の植木鉢の製造方法。
【請求項７】
請求項１〜６のいずれかに記載の方法により形成された植木鉢。
【発明の詳細な説明】
【技術分野】
【０００１】
本発明は、保水性、排水性に優れた盆栽用の、植木鉢の製造方法並びに植木鉢に関する。
【背景技術】
【０００２】
高山植物や小型野草の生育用に、溶岩を利用した盆栽用の植木鉢が、古くから販売され、かつ使用されている。
これは、溶岩に開けた植付穴に高山植物や野草を苔で固定して提供されているが、近時、自然環境維持の観点から、溶岩の採取が規制されているため、溶岩自体の入手が困難になっている。
溶岩の魅力は、保水性、排水性、通気性に優れていること、並びに岩肌がゴツゴツしていることに伴う野趣味にあるが、これに代わる物は見あたらない。
そのため、粒度の異なった多孔質無機質粒子を混練して焼成し、保水性と排水性と通気性に優れた材質で植木鉢を製造することに関する提案が、特許文献１に記載されている。
【先行技術文献】
【特許文献】
【０００３】
【特許文献１】特開平７−１７０８６１号公報
【発明の概要】
【発明が解決しようとする課題】
【０００４】
特許文献１に記載の植木鉢は、粒の大きな多孔質無機質粒子と、粒子が小さく、かつ融点の低い多孔質無機質粒子とを混練して、大きな多孔質無機質粒子の表面に、融点の低い多孔質無機質粒子を付着させて焼成し、融点の低い多孔質無機質粒子を溶融させて、これを接着剤とし、大きな多孔質無機質粒子同士を接着させて、粒子間に間隙を形成させるものである。
しかし、このようにするためには、材質の選定、均等な混合、焼成温度の調節などが困難であり、かつ、自然の溶岩のような外観となるように焼成することは容易ではない。
【課題を解決するための手段】
【０００５】
本発明の具体的な内容は、次の通りである。
【０００６】
（1） 焼成用粘土と空隙形成用有機質繊維とを混練した成形素材をもって植付凹部を有する植木鉢原体を成形し、乾燥後、これを焼成窯で焼成することにより、空隙形成用有機質繊維を燃焼させて、通水性を有する空隙を形成し、かつ表面に空隙形成用有機質繊維を燃焼させた痕の凹窪により溶岩状地肌を形成する植木鉢の製造方法。
【０００７】
（2） 空隙形成用有機質繊維は、形態の異なるものを適宜選択して混合したものである前記（1）に記載の植木鉢の製造方法。
【０００８】
（3） 植木鉢原体における、空隙形成用有機質繊維の混練された成形素材の肉薄層の上面に、非透水材層を皿状に形成し、その上に成形素材を一体に重合させ、上面に植付凹部を形成して焼成する前記（1）または（2）に記載の植木鉢の製造方法。
【０００９】
（4） 植木鉢原体の下面に、水漏れを防止する非透水材層を形成した後、焼成する前記（1）または（2）に記載の植木鉢の製造方法。
【００１０】
（5） 前記植木鉢原体における植付凹部の内底に、複数の花立穴を形成した後、焼成する前記（1）〜（4）のいずれかに記載の植木鉢の製造方法。   
【００１１】
（6） 植木鉢原体は、部分的に空隙の大きさを異差するように空隙形成用有機質繊維が選択されている前記（1）〜（5）のいずれかに記載された植木鉢の製造方法。
【００１２】
（7） 前記（1）〜（6）のいずれかに記載の方法により形成された植木鉢。
【発明の効果】
【００１３】
本発明によると、次のような効果が奏せられる。
【００１４】
前記（1）に記載の発明によると、陶磁器製造用の焼成窯において、植木鉢原体を焼成した際、空隙形成用有機質繊維は燃焼し、焼けた後の灰も溶融して、空隙形成用有機質繊維のあった部分に、透水性のある空隙が形成される。
空隙形成用有機質繊維は、部分的に他の繊維と接触しているので、空隙は連続気泡のように連続し、また繊維同士が接触していなくても、各空隙の間が近距離であり、素焼きであるので、透水性がある植木鉢を製造することができる。
植付凹部に水苔を介して小植物を植込んで、水をかけると、保水性と排水性にも優れたものとなる。
また、焼成用粘土が、鉄分を含んでいる場合には、ごつごつした溶岩のような外観を呈する野趣味ある植木鉢となる。白色系の粘土でも、使用している間に気泡穴に苔などが付着し、盆栽家好みの雅趣味が備わってくる。
【００１５】
前記（2）に記載の発明によると、大きさの異なった、透水性のある空隙を連続状に形成することができ、かつ自然の溶岩の岩肌に近い状態を表現することができる植木鉢を提供することができる。
【００１６】
前記（3）に記載の発明においては、植木鉢原体の内部の底辺に、非透水材層を皿状に形成して焼成するので、出来あがった植木鉢は、皿状の非透水材層で一定量の水を溜めることができるため、夏期に於ける強い日照りや乾燥にも、保水性に優れ、また、植木鉢の下に水受皿を置かなくても良いので、室内の台、テーブルの上等に、直接置くことができる植木鉢を得ることができる。
また、非透水材層は外から見えないので、溶岩状の外観を損なうことはない。
【００１７】
前記（4）に記載の発明によると、植木鉢の下面に、水漏れを防止する非透水材層が形成されているので、水受皿を使用しなくても、水が垂れることがなく、室内の台などに直接置くことができる植木鉢を得ることができる。
【００１８】
前記（5）に記載の発明によると、植付凹部の内底に、複数の花立穴を形成してから焼成するので、この植付凹部の花立穴に切花等を差すことによって、花器として使用することが可能な植木鉢を提供することができる。  
【００１９】
前記（6）に記載の発明によると、植木鉢原体が、部分的に空隙の大きさを異差するように空隙形成用有機質繊維が選択されているので、焼成後において、例えば下半部は空隙率が大で、水捌けがよい深鉢を製造することができる。
【００２０】
前記（7）に記載の発明によると、保水性、排水性、通気性に優れ、外観が溶岩に見える植木鉢を得ることができる。
【図面の簡単な説明】
【００２１】
【図１】本発明の一実施形態の材料の斜視図である。
【図２】同じく成形素材の縦断正面図である。
【図３】同じく、焼成した成形素材の縦断平面図ある。
【図４】本発明の一実施形態の植木鉢原体の斜視図である。
【図５】本発明の実施例１の植木鉢の斜視図である。
【図６】同じく実施例２の植木鉢の縦断正面図である。
【図７】同じく実施例３の植木鉢の縦断正面図である。
【図８】同じく実施例４の植木鉢の縦断正面図である。
【発明を実施するための形態】
【００２２】
以下本発明を、図面を参照して説明する。
【実施例１】
【００２３】
本発明の植木鉢の製造方法に使用する材料は、焼成用粘土と空隙形成用有機質繊維である。
粘土は、地質学では粒径3.9μｍ未満の粒子、鉱物学では２μｍ以下の粒子、土質力学の統一分類法においては、粒径が５μｍ以下の土とされている。
【００２４】
陶土は「蛙目粘土」と「木節粘土」と大別されるが、「蛙目粘土」には石英の粗い粒が混っており、耐火度が高いため、焼き締まりにくい特徴がある。
「木節粘土」は、木質が腐食して炭化した形で混入しており、「蛙目粘土」よりも粒子が細かく焼物に適する。
【００２５】
本発明における、焼成用粘土１の意味は、「陶磁器など焼物の素材となる粘っこい土」であり、粒度、組成分などは適宜選択されるか、あるいは適宜混合した物が使用される。必要に応じて、石英や着色材等を添加する。
【００２６】
鉄分の多い粘土は、焼成時における酸化により、赤黒く溶岩に似た色調となる。
性質の異なる粘土、例えば塑造用粘土の廃棄物も、必要に応じて、粒状あるいは線状等任意の形に加工し、混合して使用することができる。
【００２７】
前記空隙形成用有機質繊維２には、一般的な可燃性の繊維質の全てが含まれる。従って、木綿、麻、絹、毛などの天然繊維や、化学繊維、合成樹脂の繊維、半合成繊維等が含まれ、特に廃棄されるものを使用するのが好ましい。
【００２８】
空隙形成用有機質繊維２は、例えば、単糸切片、撚糸切片、束状糸切片、編織布片、網布片、網目状樹脂成形片、生体凝結繊維片（皮革片、籾殻、大鋸屑、干草片、糠）等の形態のものを、適量、単一あるいは複種を混合して、焼成用粘土１に混練して使用する。
【００２９】
焼成用粘土１に対する空隙形成用有機質繊維２の混合量は、形成しようとする空隙の量、すなわち比率に応じて適宜選択される。空隙形成用有機質繊維２の量が多過ぎると、焼成後の植木鉢が脆くなり、また少な過ぎると、透水性に優れた連続空隙が出来にくくなる。
【００３０】
図１は、焼成用粘土１に、空隙形成用有機質繊維２を層状に重ねた状態を示す平面図である。空隙形成用有機質繊維２は、網目状樹脂成形片を重ね合わせた状態としてある。
【００３１】
この焼成用粘土１の周辺を上向きに折り曲げ、空隙形成用有機質繊維２を包み込むようにして混練りをすると、焼成用粘土１が網目に入り、図２のように、成形素材３が形成される。これを乾燥した後、焼成窯で焼成する。
この焼成用粘土１と空隙形成用有機質繊維２の混練は、少量の時は手捏ねで出来、大量の時は陶磁器用の用土混練機を使用する。
【００３２】
成形素材３を焼成温度850度〜1300度の範囲で焼成窯で焼成すると、焼成用粘土１中に含まれている空隙形成用有機質繊維２が燃焼して、図３に示すように、無数の空隙４、４を有する素材焼成体５が形成される。
【００３３】
各空隙４は、図２に示すように、空隙形成用有機質繊維２が繋がっているため、基本的には連通気泡のようになっている。また、空隙４同士が連結していない箇所においても、空隙４同士の間隔が近接しており、素材焼成体５が素焼きであるため、透水性があり、かつ保水性と通気性を備えている。植木鉢はこれと同じ構造物になる。  
【００３４】
図２に示す成形素材３で、図４に示すような植木鉢原体６を形成する。この場合、手捏ねで、自然の溶岩のように形を整えるとともに、上部に、押型あるいは指先で植付凹部７を形成する。                   
【００３５】
量産する場合には、木型あるいは石膏型の凹型を形成しておき、これに成形素材３を押し込んで型取りをした後、表面を任意に削り、或いは成形素材３片を任意に塗り着けたりして、植木鉢原体６に、二っと無い個性を出させるようにする。
【００３６】
完成した植木鉢原体６は、素焼きに耐えるように乾燥させる。充分に乾燥していないと、焼成時に皹割れができる。焼成前に、部分的に水滴を垂らしておくと、焼成時の伸縮差によって皹割れが生じるので、景色として利用することができる。
【００３７】
焼成窯としては、電気窯かガス窯を使用する。煙の出る燃料を使用すると、煙の成分が植木鉢の空隙に付着して、植木鉢として使用するときに、花木の生育に支障が生じる虞がある。焼成温度は、通常は900度程度でよいが、成形素材３の成分によっては1200℃前後とする。
【００３８】
図５は、焼成された植木鉢８の斜視図である。肉厚が部分的に異なっているので、皹割れ８Ａが出来たり、空隙形成用有機質繊維２が集合していた所は、大きな穴窪となったりして、外観は溶岩に酷似したものとなる。       
【００３９】
粘土が鉄分を含んでいるときには、黒ずんだ色となり、金属で叩くと鉄片のような金属音がする。
この植木鉢８を使用するには、雨晒しして十分に自然に馴染ませてから、植付凹部９に、水苔を入れて、小草花等を植付ける。勿論土で植え着けてもよい。
【実施例２】
【００４０】
図６は、植木鉢の実施例２の縦断正面図である。前例と同じ部材には、同じ符号を付して説明を省略する。
この実施例２の植木鉢11は、植木鉢原体６を形成する時に、肉薄の成形素材３の上に、非透水材層３Ａを皿状に形成し、その上に成形素材３を積層して一体とし、植木鉢原体６を形成し、焼成したものである。
【００４１】
非透水材層３Ａは、焼成後に非透水性であれば良く、例えば、粘土と釉薬の素材とを混練したもの、あるいは、肉薄の成形素材３の上面に皿状の窪みを形成して、その窪み部分に釉薬層を形成し、成形素材３を一体に積層する方法でもよい。
【００４２】
焼成によって、非透水材層３Ａは水を下方へ透過させないので、乾燥期等において一定量の水を溜めておくことができ、保水性に優れたものとなる。
また、非透水材層３Ａが外表から見えないので、溶岩状の表面の雅趣を損なうことはない。
【実施例３】
【００４３】
図７は、植木鉢の実施例３を示す縦断正面図である。前例と同じ部材には、同じ符号を付して、説明を省略する。
この実施例３の植木鉢12は、植木鉢原体６を形成する時に、底外面に非透水材層３Ｂを形成してから焼成したものである。
【００４４】
非透水材層３Ｂとしては、実施例２におけるものと同様のものを使用する。非透水材層３Ａは、水を下へ透過させないので、室内の台やテーブル上に直に置くことができる。
【００４５】
病院等で土壌の入った植木鉢には、土壌細菌による障害が生じる虞があるが、この植木鉢では土壌を使用せず、その虞はない。
非透水材層３Ｂの材質は、溶岩状の表面を形成するために、表層部分に空隙形成用有機質繊維２を混練させることができる。
【実施例４】
【００４６】
図８は、植木鉢の実施例４を示す縦断正面図である。前例と同じ部材には同じ符号を付して説明を省略する。
この実施例４の植木鉢13は、植付凹部９の底に、複数の花立穴14、14を形成したものである。すなわち、活け花における剣山の逆に、花立穴14に花木の茎を差し入れることによって、活け花をする事ができる。
【００４７】
図８のものにおいては、非透水材層３Ｂが形成されている場合には、このまま床の間に直に飾ることができる。また非透水材層３Ｂが形成されていないものは、水盤の中に置いて使用することができる。                     
【００４８】
なお、深鉢とする時は、部分的に、例えば底及び底に近い側壁を、上部よりも空隙率が大きくなるように空隙形成用有機質繊維２を選択し、焼成後において、下半部の透水率が高くなるようにすることにより、水捌けの良い深鉢とする。
また深鉢は、小型のものとし、側面に釘孔を形成し、根を持たずに葉から空気中の水分を吸収して活きている観賞用の草の保持等に使用する。
【００４９】
なお、この発明は、実施例に限定されるものではなく、目的の範囲内で任意に設計変更をする。各実施例の構成部分を任意に組合わせることができる。
本文において植木鉢は、観賞用に花卉を保持する物を言い、花瓶も含む。  
【産業上の利用可能性】
【００５０】
保水性と排水性があるので、水を切らすことができない小花卉用の、溶岩状の植木鉢に好適なものとなる。
【符号の説明】
【００５１】
１．焼成用粘土
２．空隙形成用有機質繊維
３．成形素材
３Ａ．３Ｂ．非透水材層
４．空隙
５．素材焼成体
６．植木鉢原体
７．植付凹部
８．植木鉢
９．植付凹部
10．空隙
11.12.13．植木鉢
14．花立穴
【図１】
2014124174.tif 000003
【図２】
2014124174.tif 000004
【図３】
2014124174.tif 000005
【図４】
2014124174.tif 000006
【図５】
2014124174.tif 000007
【図６】
2014124174.tif 000008
【図７】
2014124174.tif 000009
【図８】
2014124174.tif 000010